(57)【要約】      （修正有）【課題】足場が悪くかつ木の枝などに遮られた場所などでの収穫作業を円滑に行うことができ、かつ収穫した果実や木の実などへの傷付きを確実に防止することができるとともに、狭い場所での移し替え作業をスムーズに行うことができる収穫かごを提供する。【解決手段】ＰＰパイプを縦糸に、ＰＰ撚糸を横糸にして織成した反物１３を用いて、筒状の収穫かご本体を形成し、収穫かご本体の上縁に、上方へ開口する上端開口部１４の開口形状を保持する環状の保持材を設けている。保持材よりも若干下側に一対の挿通孔を設けてハトメ１５を取り付け、各ハトメ１５に、掛け紐１６２の長手方向両端部をそれぞれ挿通した吊持具１６の肩当て帯１６１を人体Ａの肩部Ａ１にたすき掛けして収穫かご本体を吊持している。収穫かご本体の下縁に、下方へ開口する下端開口部１７を開閉可能に閉塞するスライドファスナー１８を設けている。【選択図】図６
0003197383.tif 000002
【実用新案登録請求の範囲】
【請求項１】
合成樹脂製の撚糸及びパイプのいずれか一方を縦糸に、他方を横糸にして織成又は編成した反物を用いて、筒状の収穫かご本体が形成され、
前記収穫かご本体の上縁には、上方へ開口する上端開口部の開口形状を保持する環状の保持材が設けられているとともに、
前記保持材よりも若干下側には一対の挿通孔が設けられ、この各挿通孔には、前記収穫かご本体を人体に対し吊持する紐状の吊持具が挿通されており、
前記収穫かご本体の下縁には、下方へ開口する下端開口部を開閉可能に閉塞する閉塞具が設けられていることを特徴とする収穫かご。
【請求項２】
前記下端開口部は、前記人体の前後方向に長い直線状に形成され、
前記閉塞具としては、前記下端開口部を前後方向に開閉するスライドファスナーが適用されている請求項１に記載の収穫かご。
【請求項３】
前記下端開口部は、前記人体の前後方向に長い直線状に形成され、
前記閉塞具としては、前記収穫かご本体の下縁に取り付けられた係止片と、前記収穫かご本体の前記係止片よりも上方に設けられ、前記係止片を係止して前記収穫かご本体の下端部を前記下端開口部と略平行に上方へ折り曲げた状態に拘束する係止具とが適用されている請求項１に記載の収穫かご。
【請求項４】
前記吊持具としては、前記各挿通孔に長手方向両端部が挿通され、かつ前記人体の肩部に長手方向中間部付近をたすき掛けして前記収穫かご本体を吊持する掛け紐が適用されている請求項１〜請求項３のいずれか１つに記載の収穫かご。
【請求項５】
前記吊持具としては、前記各挿通孔に長手方向中間部付近が挿通され、かつ前記人体の胴部に長手方向両端部を結束して前記収穫かご本体を吊持する結束紐が適用されている請求項１〜請求項３のいずれか１つに記載の収穫かご。
【考案の詳細な説明】
【技術分野】
【０００１】
本考案は、木の実や果実などを収穫する際に用いられる収穫かごに関する。
【背景技術】
【０００２】
従来より、この種の収穫かごとしては、可撓性を有する網体を四角形のかご状に縫製し、上方へ開口する上端開口部の上縁となる各稜部にそれぞれ横方向の棒状体を固定すると共に、相対向するかご側面の中央位置にそれぞれ縦方向の棒状体を固定し、更に、下縁となる各稜部のうちの縦方向の棒状体の下端につながる２つの稜部にそれぞれ横方向の棒状体を固定して自立開口可能な網かごを構成し、加えて、縦方向の棒状体の上端にベルトの両端を固定することで、収穫かごの可搬性を高め得るようにしたものが知られている（特許文献１参照）。
【先行技術文献】
【特許文献】
【０００３】
【特許文献１】実開平６−６１７１８号公報
【考案の概要】
【考案が解決しようとする課題】
【０００４】
しかし、前記従来のものでは、収穫かごの上下両縁の各稜部が、上端開口部を自立開口させる上で、横方向の棒状体によって固定され、かつ縦方向の棒状体によって固定されているため、収穫かごとしては非常に嵩張ったものとなり、足場が悪くかつ木の枝などに遮られた場所などでの収穫作業では、収穫かごが木の枝などに引っかかり易く、持ち運びし難いため、収穫作業が捗らない。
【０００５】
しかも、収穫かごの上下両縁の各稜部が横方向の棒状体によって固定されていると、収穫した果実や木の実などを上端開口部から投入した際に棒状体と当接するおそれがあり、果実や木の実などの傷みが懸念される。
【０００６】
更に、前記従来のものでは、収穫した果実や木の実などは、上端開口部をひっくり返して移し替えなければならず、狭い場所での収穫かごの移し替え作業が非常に困難なものであった。
【０００７】
本考案は、かかる点に鑑みてなされたものであり、その目的とするところは、足場が悪くかつ木の枝などに遮られた場所などでの収穫作業を円滑に行うことができ、かつ収穫した果実や木の実などへの傷付きを確実に防止することができるとともに、狭い場所での移し替え作業をスムーズに行うことができる収穫かごを提供することにある。
【課題を解決するための手段】
【０００８】
上記目的を達成するため、本考案では、収穫かごとして、合成樹脂製の撚糸及びパイプのいずれか一方を縦糸に、他方を横糸にして織成又は編成した反物を用いて、筒状の収穫かご本体を形成し、前記収穫かご本体の上縁に、上方へ開口する上端開口部の開口形状を保持する環状の保持材を設けている。更に、前記保持材よりも若干下側に一対の挿通孔を設け、この各挿通孔に、前記収穫かご本体を人体に対し吊持する紐状の吊持具を挿通させている。そして、前記収穫かご本体の下縁に、下方へ開口する下端開口部を開閉可能に閉塞する閉塞具を設けることを特徴としている。
【０００９】
また、前記下端開口部を前記人体の前後方向に長い直線状に形成し、前記閉塞具として、前記下端開口部を前後方向に開閉するスライドファスナーを適用していてもよい。
【００１０】
これに対し、前記下端開口部を前記人体の前後方向に長い直線状に形成し、前記閉塞具として、前記収穫かご本体の下縁に取り付けられた係止片と、前記収穫かご本体の前記係止片よりも上方に設けられ、前記係止片を係止して前記収穫かご本体の下縁を上方へ折り曲げた状態に拘束する係止具とを適用していてもよい。
【００１１】
更に、前記吊持具として、前記各挿通孔に長手方向両端部を挿通し、かつ前記人体の肩部に長手方向中間部付近をたすき掛けして前記収穫かご本体を吊持する掛け紐を適用していてもよい。
【００１２】
これに対し、前記吊持具として、前記各挿通孔に長手方向中間部付近が挿通され、かつ前記人体の胴部に長手方向両端部を結束して前記収穫かご本体を吊持する結束紐を適用していてもよい。
【考案の効果】
【００１３】
以上、要するに、合成樹脂製の撚糸及びパイプにより織成又は編成した反物を用いて筒状の収穫かご本体を形成し、この収穫かご本体の上縁の上端開口部の開口形状を環状の保持材によって保持するとともに、この保持材よりも若干下側の一対の挿通孔に挿通した紐状の吊持具によって収穫かご本体を人体に対し吊持することで、合成樹脂製の撚糸及びパイプよりなる反物を用いた筒状の収穫かご本体を人体に吊持しても嵩張ることがなく、足場が悪くかつ木の枝などに遮られた場所などでの収穫作業であっても収穫かごが木の枝などに引っかかり難く、持ち運びし易くなって収穫作業を円滑に行うことができる。しかも、収穫した果実や木の実などを上端開口部から投入した際に柔らかい反物に対してのみ接触し、果実や木の実などの傷みを確実に防止することができる。更に、収穫かご本体の下縁に、下方へ開口する下端開口部を開閉可能に閉塞する閉塞具を設けることで、収穫した果実や木の実などを移し替える際に上端開口部をひっくり返さずに閉塞具による閉塞を解除して下端開口部を開放させるだけで済み、狭い場所での収穫かごの移し替え作業をスムーズに行うことができる。
【００１４】
また、人体の前後方向に長い直線状の下端開口部をスライドファスナーによって開閉させることで、収穫した果実や木の実などを移し替える際にスライドファスナーによって下端開口部を円滑に開放させることができ、狭い場所での収穫かごの移し替え作業をよりスムーズに行うことができる。
【００１５】
これに対し、収穫かご本体においてその下縁の係止片をそれよりも上方の係止具に係止し、下縁を上方へ折り曲げた状態で収穫かご本体に拘束して下端開口部を閉塞することで、収穫した果実や木の実などを移し替える際に係止具に対し係止片の係止を解除するだけで下端開口部をより円滑に開放させることができ、狭い場所での収穫かごの移し替え作業をよりスムーズに行うことができる。
【００１６】
更に、各挿通孔に長手方向両端部を挿通した掛け紐を吊持具として適用し、この掛け紐の長手方向中間部付近を人体の肩部にたすき掛けして収穫かご本体を吊持することで、掛け紐による人体の肩部へのたすき掛けによって収穫かごを円滑に吊持することができる。
【００１７】
これに対し、各挿通孔に長手方向中間部付近を挿通した結束紐を吊持具として適用し、この結束紐の長手方向両端部を人体の胴部に結束して収穫かご本体を吊持することで、結束紐の両端部による人体の胴部への結束によって収穫かごを円滑に吊持することができる。
【図面の簡単な説明】
【００１８】
【図１】本考案の第１の実施の形態に係る収穫かごの正面図である。
【図２】図１の収穫かごの側面図である。
【図３】図１の収穫かごの平面図である。
【図４】図１の収穫かごの底面図である。
【図５】図１の収穫かごを斜め上方から見た斜視図である。
【図６】図１の収穫かごを人体の肩部に掛け紐のたすき掛けにより吊持した状態の斜視図である。
【図７】図１の収穫かごを下端開口部の開放状態で斜め下方から見た斜視図である。
【図８】第１の実施の形態の変形例に係る収穫かごを人体の胴部に結束紐の結束により吊持した状態の斜視図である。
【図９】本考案の第２の実施の形態に係る収穫かごを結束バンドの非結着状態で斜め下方から見た斜視図である。
【図１０】図９の収穫かごを結束バンドの結着状態で上端開口部側から見た斜視図である。
【図１１】図９の収穫かごを人体の胴部に結束バンドの結着により吊持した状態の斜視図である。
【図１２】本考案の第３の実施の形態に係る収穫かごを閉塞具による下端開口部の閉塞状態で斜め下方から見た斜視図である。
【図１３】図１２の収穫かごを上方から見た斜視図である。
【図１４】図１２の収穫かごを閉塞具の解除による下端開口部の開放状態で斜め下方から見た斜視図である。
【図１５】図１４の収穫かごを上方から見た斜視図である。
【考案を実施するための形態】
【００１９】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２０】
図１は本考案の第１の実施の形態に係る収穫かごの正面図、図２は収穫かごの側面図、図３は収穫かごの平面図、図４は収穫かごの底面図、図５は収穫かごを斜め上方から見た斜視図をそれぞれ示している。
【００２１】
図１〜図５において、１は本考案の実施の形態に係る収穫かごであって、その収穫かご本体１０は、直径１．６ｍｍのＰＰ（ポリプロピレン）パイプを縦糸１１に、ＰＰ撚糸を横糸１２にして織成した反物１３を上端で折返して二重にし、その二重にした反物１３の周方向両端を縫い合わせて筒状に形成されている。また、収穫かご本体１０は、その上端で折り返した反物１３の折り返し部の内側に環状の保持材（図示せず）を収容している。この保持材は、塑性変形不能な樹脂材により形成され、収穫かご本体１０の上端において上方へ開口する上端開口部１４の形状を略トラック形状に保持している。また、保持材よりも若干下側に位置する収穫かご本体１０の上端部付近には、上端開口部１４の周方向に一対の挿通孔が設けられ、この各挿通孔にはそれぞれハトメ１５が取り付けられている。なお、収穫かご本体１０は、上下方向等間隔置きの複数箇所において編糸４，４，…により周方向に縫い合わされ、二重にした反物１３を表裏方向からつなぎ合わせるようにしている。
【００２２】
図６は収穫かご１を人体の肩部にたすき掛けして吊持した状態の斜視図を示している。この図６に示すように、各ハトメ１５（各挿通孔）には、収穫かご本体１０を吊持する紐状の吊持具１６が挿通されている。この吊持具１６は、肩当て帯１６１の長手方向両端にそれぞれ長手方向中間部が止着された２本の掛け紐１６２，１６２を備えている。各掛け紐１６２は、その長手方向両端がそれぞれ各ハトメ１５に挿通されて固縛され、肩当て帯１６１が人体Ａの肩部Ａ１にたすき掛けされて収穫かご本体１０を吊持している。この場合、各掛け紐１６２としては、塩化ビニルとエステルとからなる不織布のロープが用いられ、手触りよく耐久性に優れた仕様となっている。
【００２３】
図７は収穫かご１を下端開口部の開放状態で斜め下方から見た斜視図を示している。この図７において、収穫かご本体１０の下縁には、下方へ開口する下端開口部１７が設けられているとともに、この下端開口部１７を開閉可能に閉塞する閉塞具としてのスライドファスナー１８が編糸４により縫製されている。そして、下端開口部１７は、上端開口部１４の長径方向に長い直線状に形成され、スライドファスナー１８によって開閉可能に閉塞されている。
【００２４】
スライドファスナー１８は、エレメント１８１，１８２を取り付けた左右のテープ１８３，１８４が下端開口部１７の下縁にそれぞれ縫製され、スライダー１８５の移動に伴い下端開口部１７を開閉させている。また、スライドファスナー１８は、下端開口部１７の開口方向一側に止着された上止１８６と開口方向他側に止着された下止１８７とによってスライダー１８５の移動範囲が規制されている。この場合、上止１８６よりも上側の上耳１８８と下止１８７よりも下側の下耳１８９とは、下端開口部１７よりも外方へそれぞれ露出され、スライダー１８５を移動させる際に掴み代として利用することで、スライドファスナー１８による下端開口部１７の開閉動作がスムーズに行えるようにしている。
【００２５】
したがって、本実施の形態では、ＰＰパイプを縦糸１１に、ＰＰ撚糸を横糸１２にして織成した反物１３を用いて筒状の収穫かご本体１０を形成し、この収穫かご本体１０の上縁の上端開口部１４の開口形状を環状の保持材によって保持するとともに、この保持材よりも若干下側の一対のハトメ１５，１５（挿通孔）に掛け紐１６２の長手方向両端部をそれぞれ挿通した吊持具１６の肩当て帯１６１を人体Ａの肩部Ａ１にたすき掛けして収穫かご本体１０を吊持しているので、ＰＰパイプの縦糸１１及びＰＰ撚糸の横糸１２よりなる反物１３を用いた筒状の収穫かご本体１０を人体Ａに肩部Ａ１に吊持しても嵩張ることがなく、足場が悪くかつ木の枝などに遮られた場所などでの収穫作業であっても収穫かご１が木の枝などに引っかかり難く、持ち運びし易くなって収穫作業を円滑に行うことができる。
しかも、収穫した果実や木の実などを上端開口部１４から投入した際に柔らかい反物１３に対してのみ接触し、果実や木の実などの傷みを確実に防止することができる。
【００２６】
更に、収穫かご本体１０の下縁に、下方へ開口する下端開口部１７がスライドファスナー１８によって開閉可能に閉塞されているので、収穫した果実や木の実などを移し替える際に上端開口部１４をひっくり返さずにスライドファスナー１８を開放動作させて下端開口部１７を開放させるだけで済み、狭い場所での収穫かご１の移し替え作業をスムーズに行うことができる。
【００２７】
なお、本実施の形態では、紐状の吊持具１６として肩当て帯１６１及び各掛け紐１６２を用い、この各掛け紐１６２の長手方向両端部を各ハトメ１５に挿通させて、肩当て帯１６１を人体Ａの肩部Ａ１にたすき掛けして収穫かご本体１０を吊持したが、図８に示すように、各ハトメ１５（各挿通孔）にそれぞれ長手方向一端を挿通して固縛した２本の結束紐１９１，１９２を吊持具１９として用い、この各結束紐１９１，１９２の長手方向他端部側を人体Ａの胴部Ａ２に結束して収穫かご本体１０が吊持されていてもよい。各結束紐１９１，１９２としては、塩化ビニルとエステルとからなる不織布のロープが用いられている。この場合においても、結束紐１９１，１９２の長手方向他端部側による人体Ａの胴部Ａ２への結束によって収穫かご１を円滑に吊持することができる。
【００２８】
次に、本考案の第２の実施の形態を図９〜図１１に基づいて説明する。
この実施の形態では、吊持具の構成を変更している。なお、吊持具を除くその他の構成は、前記第１の実施の形態と同じであり、同一部分には同じ符号を付してその詳細な説明は省略する。
【００２９】
図９は本考案の第２の実施の形態に係る収穫かご１を結束バンドの非結着状態で斜め下方から見た斜視図、図１０は収穫かご１を結束バンドの結着状態で上端開口部側から見た斜視図、図１１は収穫かご１を人体Ａの胴部に結束バンドの結着により吊持した状態の斜視図をそれぞれ示している。
【００３０】
図９〜図１１において、吊持具２０としては、各ハトメ１５（各挿通孔）に長手方向中間部付近が挿通された結束バンド２１（結束紐）が用いられている。この結束バンド２１の長手方向両端部には、留め具２２の雄片２２１及び雌片２２２が取り付けられ、この雄片２２１と雌片２２２との止着によって結束バンド２１の長手方向両端部を結束している。また、結束バンド２１には、ベルト送り２３が取り付けられ、人体Ａの胴部Ａ２に応じた長さに結束バンド２１を調整できるようにしている。
【００３１】
したがって、本実施の形態では、前記第１の実施の形態の作用・効果に加えて、各ハトメ１５に長手方向中間部付近を挿通した結束バンド２１の長手方向両端部を留め具２２の雄片２２１と雌片２２２との止着により人体Ａの胴部Ａ２に結束して収穫かご本体１０が吊持されるので、結束バンド２１の長手方向両端の留め具２２の止着による人体Ａの胴部Ａ２への結束によって収穫かご１を円滑に吊持することができる。
【００３２】
次に、本考案の第３の実施の形態を図１２〜図１５に基づいて説明する。
この実施の形態では、閉塞具の構成を変更している。なお、閉塞具を除くその他の構成は、前記第１の実施の形態と同じであり、同一部分には同じ符号を付してその詳細な説明は省略する。
【００３３】
図１２は本考案の第３の実施の形態に係る収穫かごを閉塞具による下端開口部の閉塞状態で斜め下方から見た斜視図、図１３は収穫かごを上方から見た斜視図、図１４は収穫かごを閉塞具の解除による下端開口部の開放状態で斜め下方から見た斜視図、図１５は収穫かごを上方から見た斜視図をそれぞれ示している。
【００３４】
図１２〜図１５において、３は収穫かごであって、その収穫かご本体３０は、反物１３を上端で折返して二重にして周方向両端を縫い合わせて筒状に形成されている。また、収穫かご本体３０は、その上端で折り返した反物１３の折り返し部の内側に環状の保持材（図示せず）を収容し、その上端において上方へ開口する上端開口部３４の形状を略トラック形状に保持している。また、収穫かご本体３０の上端部付近には、上端開口部３４の周方向に４つの挿通孔（図示せず）が設けられ、この各挿通孔にはそれぞれハトメ３５が取り付けられている。この各ハトメ３５（各挿通孔）のうちの互いに離れた２つのハトメ３５，３５には、収穫かご本体３０を吊持する紐状の吊持具１６の肩当て帯１６１の長手方向両端にそれぞれ長手方向中間部が止着された２本の掛け紐１６２，１６２が挿通されて固縛されている。また、収穫かご本体３０の下縁には、下方へ開口する下端開口部３７が設けられている。この下端開口部３７は、人体Ａの前後方向に長い直線状に形成されているとともに、この下端開口部３７を開閉可能に閉塞する閉塞具３８が設けられている。
【００３５】
閉塞具３８は、収穫かご３の収穫かご本体３０の下縁に帯３８０を介して取り付けられた第１係止片３８１と、収穫かご本体３０の第１係止片３８１よりも上方に設けられた係止具３８２とを備えている。係止具３８２は、上下方向上端部及び中間部がそれぞれ収穫かご本体３０に縫い付けられたバンド３８３と、このバンド３８３の下端に取り付けられ、第１係止片３８１を係脱自在に係止する第２係止片３８４とを備えている。そして、下端開口部３７は、閉塞具３８によってバンド３８３の第２係止片３８４と第１係止片３８１とを係止すると、下縁を上方へ折り曲げた状態で収穫かご本体３０に拘束されて閉塞される。なお、バンド３８３には、ベルト送り３８５が取り付けられ、第２係止片３８４と第１係止片３８１とを係止した際に下縁を上方へ折り曲げた状態で拘束可能な長さにバンド３８３を調整できるようにしている。
【００３６】
したがって、本実施の形態では、前記第１の実施の形態の作用・効果に加えて、収穫かご本体３０においてその下縁の第１係止片３８１をそれよりも上方の係止具３８２のバンド３８３下端の第２係止片３８４に係止し、下縁を上方へ折り曲げた状態で収穫かご本体３０に拘束して下端開口部３７が閉塞されるので、収穫した果実や木の実などを移し替える際に係止具３８２のバンド３８３下端の第２係止片３８４に対し第１係止片３８１の係止を解除するだけで下端開口部３７をより円滑に開放させることができ、狭い場所での収穫かご３の移し替え作業をよりスムーズに行うことができる。
【００３７】
なお、本考案は、前記各実施の形態に限定されるものではなく、その他種々の変形例を包含している。例えば、前記各実施の形態では、直径１．６ｍｍのＰＰパイプを縦糸１１に、ＰＰ撚糸を横糸１２にして織成した反物１３を用いたが、ＰＰ撚糸を縦糸に、ＰＰパイプを横糸にして織成した反物が用いられていてもよい。
【００３８】
更に、前記各実施の形態では、縦糸１１及び横糸１２としてＰＰ撚糸及びＰＰパイプを用いたが、ポリエチレン樹脂、ポリ塩化ビニル、ポリ塩化ビニリデン、ポリビニルアルコール、ポリスチレン、スチレン・アクリロニトリル共重合体、スチレン・ブタジエン・アクリロニトリル共重合体、エチレン・酢酸ビニル共重合体、ポリプロピレン(非変性)、ポリアセタール、ポリメチルメタクリレート、酢酸セルローズ、ポリカーボネイト、ポリエチレンテレフタレート(ポリエステルシート)、ポリウレタン、三フッ化塩化エチレン、四フッ化エチレン、四フッ化エチレン・六フッ化プロピレン共重合、四フッ化エチレン・パーフルオロアルコキシエチレン共重合、四フッ化エチレンエチレン共重合、フッ化ビニリデン等の熱可塑性樹脂よりなる撚糸を縦糸に、上述した熱可塑性樹脂よりなる直径１．０〜２．０ｍｍ程度のパイプを横糸にして織成又は編成した反物が用いられていてもよい。また、このような反物は、必ずしも二重にして用いる必要がなく、反物の強度に応じて一重〜三重にすればよい。
【符号の説明】
【００３９】
１              収穫かご
１０            収穫かご本体
１１            縦糸
１２            横糸
１３            反物
１４            上端開口部
１５            ハトメ（挿通孔）
１６            吊持具
１６１          肩当て帯
１６２          掛け紐
１７            下端開口部
１８            スライドファスナー（閉塞具）
１９            吊持具
１９１，１９２  結束紐
２０            吊持具
２１            結束バンド（結束紐）
３              収穫かご
３０            収穫かご本体
３４            上端開口部
３５            ハトメ（挿通孔）
３７            下端開口部
３８            閉塞具
３８１          第１係止片（係止片）
３８２          係止具
Ａ              人体
Ａ１            肩部
Ａ２            胴部
【図１】
0003197383.tif 000003
【図２】
0003197383.tif 000004
【図３】
0003197383.tif 000005
【図４】
0003197383.tif 000006
【図５】
0003197383.tif 000007
【図６】
0003197383.tif 000008
【図７】
0003197383.tif 000009
【図８】
0003197383.tif 000010
【図９】
0003197383.tif 000011
【図１０】
0003197383.tif 000012
【図１１】
0003197383.tif 000013
【図１２】
0003197383.tif 000014
【図１３】
0003197383.tif 000015
【図１４】
0003197383.tif 000016
【図１５】
0003197383.tif 000017